(57)【要約】      （修正有）【課題】各種複数の電子機器ユニットを保持することができる電子機器ユニット固定スタンドを提供する。【解決手段】電子機器ユニット固定スタンド１０Ａは、支持プレート１４の間に電子機器ユニット１１を配置しつつ、支持プレート１４を横方向へスライドさせて、支持プレート１４で電子機器ユニット１１の両側面を挟み込み、電子機器ユニット１１を挟み込んだ支持プレート１４を第１固定手段を１５介してベースプレート１２に固定し、支持スライダー１６を電子機器ユニット１１に向かって前後方向へスライドさせて支持スライダー１６を電子機器ユニット１１の後端部に当接させ、電子機器ユニット１１の後端部に当接した支持スライダー１６を第２固定手段１７を介してベースプレート１２に固定する。【選択図】図１
2018093036.tif 000002
【特許請求の範囲】
【請求項１】
各種複数の電子機器ユニットを着脱可能に固定する電子機器ユニット固定スタンドにおいて、
前記電子機器ユニット固定スタンドが、所定面積のベースプレートと、前記ベースプレートの上面に位置して該ベースプレートの横方向へ並ぶとともに該ベースプレートの横方向へスライド可能な複数の支持プレートと、それら支持プレートを前記ベースプレートの所定の位置にスライド不能に固定する第１固定手段と、前記ベースプレートの上面であってそれら支持プレートの後方に位置し、前記ベースプレートの横方向へ並ぶとともに該ベースプレートの前後方向へスライド可能な複数の支持スライダーと、それら支持スライダーを前記ベースプレートの所定の位置にスライド不能に固定する第２固定手段とから形成され、
前記電子機器ユニット固定スタンドでは、それら支持プレートの間に前記電子機器ユニットを配置しつつそれら支持プレートを横方向へスライドさせてそれら支持プレートで該電子機器ユニットの両側面を挟み込み、前記電子機器ユニットを挟み込んだそれら支持プレートを前記第１固定手段を介して前記ベースプレートに固定し、前記支持スライダーを前記電子機器ユニットに向かって前後方向へスライドさせて該支持スライダーを該電子機器ユニットの端部に当接させ、前記電子機器ユニットの端部に当接した前記支持スライダーを前記第２固定手段を介して前記ベースプレートに固定することを特徴とする電子機器ユニット固定スタンド。
【請求項２】
前記電子機器ユニット固定スタンドでは、複数の電子機器ユニットが上下方向へ起立した状態でそれら支持プレートの間に配置されて横方向へ並び、前記第１固定手段を介して前記ベースプレートに固定されたそれら支持プレートおよび前記第２固定手段を介して前記ベースプレートに固定されたそれら支持スライダーによってそれら電子機器ユニットが前記ベースプレートの上面に固定される請求項１に記載の電子機器ユニット固定スタンド。
【請求項３】
前記ベースプレートが、その前端部に穿孔されて横方向へ延びる第１案内開口と、前記第１案内開口から後方へ所定寸法離間した位置に穿孔されて横方向へ延びる第２案内開口と、前記第２案内開口から後方へ所定寸法離間した位置に穿孔されて前後方向へ延びていて横方向へ所定寸法離間して並ぶ複数の第３案内開口とを有し、それら支持プレートが、前記第１案内開口に配置されて横方向へスライド可能な前端部と、前記第２案内開口に配置されて横方向へスライド可能な後端部と、前記前後端部の間に延びていて横方向へスライド可能な中間部と、前記前後端部と前記中間部とのうちの少なくとも該後端部と該中間部とに位置して上下方向へ延びていて横方向へスライド可能な支持部とを有し、それら支持スライダーが、前記ベースプレートの上面に摺動可能に当接する水平摺動部と、上下方向へ延びていて前記電子機器ユニットの端部に当接する垂直当接部とを有して前記第３案内開口にスライド可能に配置されている請求項１または請求項２に記載の電子機器ユニット固定スタンド。
【請求項４】
前記第１固定手段が、前記第１案内開口に位置する前記支持プレートの前端部に形成され、前記第１案内開口近傍に延びる前記ベースプレートを挟み込んだ状態で前記支持プレートの前端部を該ベースプレートに固定し、前記第２固定手段が、前記第３案内開口に位置する前記支持スライダーに形成され、前記第３案内開口近傍に延びる前記ベースプレートを挟み込んだ状態で前記支持スライダーを該ベースプレートに固定する請求項３に記載の電子機器ユニット固定スタンド。
【請求項５】
前記ベースプレートが、前記第２案内開口に位置して上下方向へ延びる垂直部を有し、前記支持プレートの後端部が、前記第２案内開口に位置して上下方向へ延びていて前記ベースプレートの垂直部に摺動可能に当接する垂直摺動部分と、前記垂直摺動部分の下端から前方へ延びていて前記ベースプレートの垂直部の下端に摺動可能に当接する水平摺動部分とを有する請求項３または請求項４に記載の電子機器ユニット固定スタンド。
【請求項６】
前記ベースプレートが、前記第１案内開口と前記第２案内開口との間に穿孔された複数の第１通気開口と、それら第３案内開口の間に穿孔された複数の第２通気開口とを有する請求項１ないし請求項５いずれかに記載の電子機器ユニット固定スタンド。
【請求項７】
前記電子機器ユニット固定スタンドが、前記ベースプレートの両側縁に位置して上下方向へ延びていて該電子機器ユニット固定スタンドをインターネットデータセンターに据え付けられた電子機器収容専用ラックに着脱可能に取り付ける取付プレートを含む請求項１ないし請求項６いずれかに記載の電子機器ユニット固定スタンド。
【請求項８】
前記電子機器ユニット固定スタンドが、前記第１案内開口に位置して横方向へ延びていてそれら支持プレートの前端部に連結された第１伸縮弾性部材と、前記第２案内開口に位置して横方向へ延びていてそれら支持プレートの後端部に連結された第２伸縮弾性部材とを含み、前記電子機器ユニット固定スタンドでは、前記第１および第２伸縮弾性部材によってそれら支持プレートが横方向へ付勢され、前記電子機器ユニットの両側に位置するそれら支持プレートが前記第１および第２伸縮弾性部材の付勢力によって該電子機器ユニットを押圧状態で挟み込む請求項１ないし請求項７いずれかに記載の電子機器ユニット固定スタンド。
【請求項９】
前記電子機器ユニット固定スタンドが、前記第２案内開口近傍に延びる前記前記第３案内開口に位置して前後方向へ延びていてそれら支持スライダーに連結された第３伸縮弾性部材を含み、前記電子機器ユニット固定スタンドでは、前記第３伸縮弾性部材によってそれら支持スライダーが前記第２案内開口に向かって前方へ付勢され、それら支持スライダーが前記第３伸縮弾性部材の付勢力によって前記電子機器ユニットの端部に押圧状態で当接する請求項１ないし請求項８いずれかに記載の電子機器ユニット固定スタンド。
【請求項１０】
前記支持プレートが、第１支持プレートと、前記支持部の上下方向の長さ寸法が前記第１支持プレートの支持部の上下方向のそれよりも長い第２支持プレートとから形成され、前記支持スライダーが、第１支持スライダーと、前記垂直当接部の横方向の長さ寸法が前記第１支持スライダーの横方向のそれよりも長い第２支持スライダーとから形成されている請求項３ないし請求項９いずれかに記載の電子機器ユニット固定スタンド。
【請求項１１】
それら支持プレートの前端部が、前記ベースプレートの上面に摺動可能に当接する水平摺動部分と、上下方向へ延びる垂直支持部分とを有し、それら支持プレートの支持部が、その下端から横方向へ延びた後に上方へ延びる第１支持部材と、その上端から横方向へ延びた後に下方へ延びる第２支持部材とを有する請求項３ないし請求項１０いずれかに記載の電子機器ユニット固定スタンド。
【発明の詳細な説明】
【技術分野】
【０００１】
本発明は、各種複数の電子機器ユニットを着脱可能に固定する電子機器ユニット固定スタンドに関する。
【背景技術】
【０００２】
電子機器ユニットの底面に取り付けられた雄または雌の噛み合わせファスナーと、電子機器ユニットを搭載する棚板の所定箇所に取り付けられた雄または雌の噛み合わせファスナーと、電子機器ユニットの底面に取り付けられた雄または雌の噛み合わせファスナーと棚板の所定箇所に取り付けられた雄または雌の噛み合わせファスナーとの間に設置された可動可能な回転体とを備え、電子機器ユニットの底面に取り付けられた雄または雌の噛み合わせファスナーおよび棚板の所定箇所に取り付けられた雄または雌の噛み合わせファスナーと相互に嵌合する雄または雌の噛み合わせファスナーが回転体の全周または部分的に取り付けられた電子機器ユニット固定装置が開示されている（特許文献１参照）。
【先行技術文献】
【特許文献】
【０００３】
【特許文献１】特開２００２−２１７５７３号公報
【発明の概要】
【発明が解決しようとする課題】
【０００４】
前記特許文献１に開示の電子機器ユニット固定装置は、雄ファスナーまたは雌ファスナーのメカニカルファスナーを利用して電子機器ユニットを棚板に設置・固定するが、雄ファスナーと雌ファスナーとの係合が解除され易く、電子機器ユニットが棚板に確実に固定される保証はなく、棚板に対する電子機器ユニットの固定が不用意に解除される場合がある。また、電子機器ユニットを上下方向へ起立させた状態で棚板に設置すると、電子機器ユニットの安定性が低下するとともに、雄ファスナーと雌ファスナーとの係合力が弱いと、起立する電子機器ユニットの棚板に対する固定が解除される場合があるから、この電子機器ユニット固定装置では、電子機器ユニットを横臥させた状態で棚板に設置せざるを得ない。したがって、電子機器ユニットが場所を取り、一度に複数の電子機器ユニットを棚板に保持させることができない。
【０００５】
なお、インターネットデータセンターに据え付けられた電子機器収容専用ラックには、サーバやルーター等の複数のラックマウント型の電子機器ユニットが平積みされた状態で設置される場合があるが、自己発熱する電子機器ユニットの熱を効率よく逃がすことができず、それら電子機器ユニットを十分に冷却することができない場合があり、それら電子機器ユニットの故障の原因になる場合がある。
【０００６】
本発明の目的は、電子機器ユニットを確実に固定することができ、電子機器ユニットの固定が不用意に解除されることがなく、一度に各種複数の電子機器ユニットを保持することができる電子機器ユニット固定スタンドを提供することにある。本発明の他の目的は、電子機器ユニットの熱を効率よく逃がすことができ、インターネットデータセンターの電子機器収容専用ラックに取り付けられた場合、電子機器ユニットを十分に冷却することができる電子機器ユニット固定スタンドを提供することにある。
【課題を解決するための手段】
【０００７】
前記課題を解決するための本発明の前提は、各種複数の電子機器ユニットを着脱可能に固定する電子機器ユニット固定スタンドである。
【０００８】
前記前提における本発明の特徴は、電子機器ユニット固定スタンドが、所定面積のベースプレートと、ベースプレートの上面に位置してベースプレートの横方向へ並ぶとともにベースプレートの横方向へスライド可能な複数の支持プレートと、それら支持プレートをベースプレートの所定の位置にスライド不能に固定する第１固定手段と、ベースプレートの上面であってそれら支持プレートの後方に位置し、ベースプレートの横方向へ並ぶとともにベースプレートの前後方向へスライド可能な複数の支持スライダーと、それら支持スライダーをベースプレートの所定の位置にスライド不能に固定する第２固定手段とから形成され、電子機器ユニット固定スタンドでは、それら支持プレートの間に電子機器ユニットを配置しつつそれら支持プレートを横方向へスライドさせてそれら支持プレートで電子機器ユニットの両側面を挟み込み、電子機器ユニットを挟み込んだそれら支持プレートを第１固定手段を介してベースプレートに固定し、支持スライダーを電子機器ユニットに向かって前後方向へスライドさせて支持スライダーを電子機器ユニットの端部に当接させ、電子機器ユニットの端部に当接した支持スライダーを第２固定手段を介してベースプレートに固定することにある。
【０００９】
本発明の一例として、電子機器ユニット固定スタンドでは、複数の電子機器ユニットが上下方向へ起立した状態でそれら支持プレートの間に配置されて横方向へ並び、第１固定手段を介してベースプレートに固定されたそれら支持プレートおよび第２固定手段を介してベースプレートに固定されたそれら支持スライダーによってそれら電子機器ユニットがベースプレートの上面に固定される。
【００１０】
本発明の他の一例としては、ベースプレートが、その前端部に穿孔されて横方向へ延びる第１案内開口と、第１案内開口から後方へ所定寸法離間した位置に穿孔されて横方向へ延びる第２案内開口と、第２案内開口から後方へ所定寸法離間した位置に穿孔されて前後方向へ延びていて横方向へ所定寸法離間して並ぶ複数の第３案内開口とを有し、それら支持プレートが、第１案内開口に配置されて横方向へスライド可能な前端部と、第２案内開口に配置されて横方向へスライド可能な後端部と、前後端部の間に延びていて横方向へスライド可能な中間部と、前後端部と中間部とのうちの少なくとも後端部と中間部とに位置して上下方向へ延びていて横方向へスライド可能な支持部とを有し、それら支持スライダーが、ベースプレートの上面に摺動可能に当接する水平摺動部と、上下方向へ延びていて電子機器ユニットの端部に当接する垂直当接部とを有して第３案内開口にスライド可能に配置されている。
【００１１】
本発明の他の一例としては、第１固定手段が、第１案内開口に位置する支持プレートの前端部に形成され、第１案内開口近傍に延びるベースプレートを挟み込んだ状態で支持プレートの前端部をベースプレートに固定し、第２固定手段が、第３案内開口に位置する支持スライダーに形成され、第３案内開口近傍に延びるベースプレートを挟み込んだ状態で支持スライダーをベースプレートに固定する。
【００１２】
本発明の他の一例としては、ベースプレートが、第２案内開口に位置して上下方向へ延びる垂直部を有し、支持プレートの後端部が、第２案内開口に位置して上下方向へ延びていてベースプレートの垂直部に摺動可能に当接する垂直摺動部分と、垂直摺動部分の下端から前方へ延びていてベースプレートの垂直部の下端に摺動可能に当接する水平摺動部分とを有する。
【００１３】
本発明の他の一例としては、ベースプレートが、第１案内開口と第２案内開口との間に穿孔された複数の第１通気開口と、それら第３案内開口の間に穿孔された複数の第２通気開口とを有する。
【００１４】
本発明の他の一例としては、電子機器ユニット固定スタンドが、ベースプレートの両側縁に位置して上下方向へ延びていて電子機器ユニット固定スタンドをインターネットデータセンターに据え付けられた電子機器収容専用ラックに着脱可能に取り付ける取付プレートを含む。
【００１５】
本発明の他の一例としては、電子機器ユニット固定スタンドが、第１案内開口に位置して横方向へ延びていてそれら支持プレートの前端部に連結された第１伸縮弾性部材と、第２案内開口に位置して横方向へ延びていてそれら支持プレートの後端部に連結された第２伸縮弾性部材とを含み、電子機器ユニット固定スタンドでは、第１および第２伸縮弾性部材によってそれら支持プレートが横方向へ付勢され、電子機器ユニットの両側に位置するそれら支持プレートが第１および第２伸縮弾性部材の付勢力によって電子機器ユニットを押圧状態で挟み込む。
【００１６】
本発明の他の一例としては、電子機器ユニット固定スタンドが、第２案内開口近傍に延びる前記第３案内開口に位置して前後方向へ延びていてそれら支持スライダーに連結された第３伸縮弾性部材を含み、電子機器ユニット固定スタンドでは、第３伸縮弾性部材によってそれら支持スライダーが第２案内開口に向かって前方へ付勢され、それら支持スライダーが第３伸縮弾性部材の付勢力によって電子機器ユニットの端部に押圧状態で当接する。
【００１７】
本発明の他の一例としては、支持プレートが、第１支持プレートと、支持部の上下方向の長さ寸法が第１支持プレートの支持部の上下方向のそれよりも長い第２支持プレートとから形成され、支持スライダーが、第１支持スライダーと、垂直当接部の横方向の長さ寸法が第１支持スライダーの横方向のそれよりも長い第２支持スライダーとから形成されている。
【００１８】
本発明の他の一例としては、それら支持プレートの前端部が、ベースプレートの上面に摺動可能に当接する水平摺動部分と、上下方向へ延びる垂直支持部分とを有し、それら支持プレートの支持部が、その下端から横方向へ延びた後に上方へ延びる第１支持部材と、その上端から横方向へ延びた後に下方へ延びる第２支持部材とを有する。
【発明の効果】
【００１９】
本発明に係る電子機器ユニット固定スタンドによれば、それら支持プレートの間にサーバやルーター、RAIDストレイジ、ファイアウォール専用機等の電子機器ユニットを配置しつつそれら支持プレートを横方向へスライドさせてそれら支持プレートで電子機器ユニットの両側面を挟み込み、電子機器ユニットを挟み込んだそれら支持プレートを第１固定手段を介してベースプレートに固定するとともに、支持スライダーを電子機器ユニットに向かって前後方向へスライドさせて支持スライダーを電子機器ユニットの端部に当接させ、電子機器ユニットの端部に当接した支持スライダーを第２固定手段を介してベースプレートに固定するから、電子機器ユニットの両側面が支持プレートに支持され、電子機器ユニットの端部が支持スライダーに支持され、電子機器ユニットが支持プレートおよび支持スライダーによって３点で支持されるから、電子機器ユニットの固定が不用意に解除されることがなく、電子機器ユニットをベースプレートに確実に固定することができる。電子機器ユニット固定スタンドは、それら支持プレートがベースプレートの横方向へスライド可能であり、それら支持スライダーがベースプレートの前後方向へスライド可能であるから、ベースプレートに固定する電子機器ユニットの横方向の長さ寸法にあわせてそれら支持プレートを電子機器ユニットの両側に配置することができ、電子機器ユニットの前後方向の長さ寸法にあわせて支持スライダーを電子機器ユニットの端部に当接させることができ、支持プレートおよび支持スライダーを利用して各種複数の大きさが異なる電子機器ユニットをベースプレートに確実に固定することができる。
【００２０】
複数の電子機器ユニットが上下方向へ起立した状態でそれら支持プレートの間に配置されて横方向へ並び、第１固定手段を介してベースプレートに固定されたそれら支持プレートおよび第２固定手段を介してベースプレートに固定されたそれら支持スライダーによって複数の電子機器ユニットがベースプレートの上面に固定される電子機器ユニット固定スタンドは、上下方向へ起立した複数の電子機器ユニットが横方向へ並んだ状態でベースプレートの上面に設置・固定されるから、複数の電子機器ユニットをベースプレートに固定することができ、一度に複数の電子機器ユニットを保持することができる。
【００２１】
ベースプレートがその前端部に穿孔されて横方向へ延びる第１案内開口と第１案内開口から後方へ所定寸法離間した位置に穿孔されて横方向へ延びる第２案内開口と第２案内開口から後方へ所定寸法離間した位置に穿孔されて前後方向へ延びていて横方向へ所定寸法離間して並ぶ複数の第３案内開口とを有し、それら支持プレートが第１案内開口に配置されて横方向へスライド可能な前端部と第２案内開口に配置されて横方向へスライド可能な後端部と前後端部の間に延びていて横方向へスライド可能な中間部と少なくとも後端部と中間部とに位置して上下方向へ延びていて横方向へスライド可能な支持部とを有し、それら支持スライダーがベースプレートの上面に摺動可能に当接する水平摺動部と上下方向へ延びていて電子機器ユニットの端部に当接する垂直当接部とを有して第３案内開口にスライド可能に配置されている電子機器ユニット固定スタンドは、それら支持プレートの前後端部がベースプレートの第１および第２案内開口に横方向へスライド可能に配置され、それら支持スライダーが第３案内開口にスライド可能に配置されているから、それら支持プレートを横方向へスライドさせてそれら支持プレートの支持部で電子機器ユニットの両側面を挟み込み、それら支持プレートを第１固定手段を介してベースプレートに固定するとともに、支持スライダーを電子機器ユニットに向かって前後方向へスライドさせて支持スライダーの垂直当接部を電子機器ユニットの端部に当接させ、支持スライダーを第２固定手段を介してベースプレートに固定することで、支持プレートおよび支持スライダーを利用して各種複数の大きさが異なる電子機器ユニットをベースプレートに確実に固定することができる。電子機器ユニット固定スタンドは、それら支持プレートの前後端部がベースプレートの第１および第２案内開口において横方向へスライド可能であり、それら支持スライダーがベースプレートの第３案内開口において前後方向へスライド可能であるから、ベースプレートに固定する電子機器ユニットの横方向の長さ寸法にあわせてそれら支持プレートを電子機器ユニットの両側に配置することができ、電子機器ユニットの前後方向の長さ寸法にあわせて支持スライダーを電子機器ユニットの端部に当接させることができ、支持プレートおよび支持スライダーを利用して各種複数の大きさが異なる電子機器ユニットをベースプレートに確実に固定することができる。
【００２２】
第１固定手段が第１案内開口に位置する支持プレートの前端部に形成され、第１案内開口近傍に延びるベースプレートを挟み込んだ状態で支持プレートの前端部をベースプレートに固定し、第２固定手段が第３案内開口に位置する支持スライダーに形成され、第３案内開口近傍に延びるベースプレートを挟み込んだ状態で支持スライダーをベースプレートに固定する電子機器ユニット固定スタンドは、それら支持プレートを横方向へスライドさせてそれら支持プレートで電子機器ユニットの両側面を挟み込み、第１固定手段によって第１案内開口近傍に延びるベースプレートを挟み込んだ状態で支持プレートの前端部をベースプレートに固定するとともに、支持スライダーを電子機器ユニットに向かって前後方向へスライドさせて支持スライダーを電子機器ユニットの端部に当接させ、第２固定手段によって第３案内開口近傍に延びるベースプレートを挟み込んだ状態で支持スライダーをベースプレートに固定することで、支持プレートおよび支持スライダーを利用して電子機器ユニットをベースプレートに確実に固定することができる。
【００２３】
ベースプレートが第２案内開口に位置して上下方向へ延びる垂直部を有し、支持プレートの後端部が第２案内開口に位置して上下方向へ延びていてベースプレートの垂直部に摺動可能に当接する垂直摺動部分と垂直摺動部分の下端から前方へ延びていてベースプレートの垂直部の下端に摺動可能に当接する水平摺動部分とを有する電子機器ユニット固定スタンドは、支持プレートの後端部の垂直摺動部分がベースプレートの垂直部に摺動可能に当接するとともに、支持プレートの後端部の水平摺動部分がベースプレートの垂直部の下端に摺動可能に当接することで、それら支持プレートをベースプレートに連結した状態で、それら支持プレートを第２案内開口に沿って横方向へスライドさせることができ、それら支持プレートで電子機器ユニットの両側面を確実に挟み込むことができるとともに、支持プレートを利用して電子機器ユニットをベースプレートに確実に固定することができる。
【００２４】
ベースプレートが第１案内開口と第２案内開口との間に穿孔された複数の第１通気開口とそれら第３案内開口の間に穿孔された複数の第２通気開口とを有する電子機器ユニット固定スタンドは、ベースプレートに穿孔された複数の第１通気開口と複数の第２通気開口とを空気が通流するから、自己発熱する電子機器ユニットの熱を効率よく逃がすことができ、熱による電子機器ユニットの故障を防ぐことができる。電子機器ユニット固定スタンドは、それがインターネットデータセンターに据え付けられた電子機器収容専用ラックに取り付けられた場合、データセンターの空調機から給気された冷気を第１通気開口や第２通気開口に通流させることができ、冷気によって電子機器ユニットを確実に冷却することができる。
【００２５】
電子機器ユニット固定スタンドがベースプレートの両側縁に位置して上下方向へ延びていて電子機器ユニット固定スタンドをインターネットデータセンターに据え付けられた電子機器収容専用ラックに着脱可能に取り付ける取付プレートを含む電子機器ユニット固定スタンドは、取付プレートを利用して電子機器ユニット固定スタンドを電子機器収容専用ラックに取り付けることで、電子機器ユニット固定スタンドをインターネットデータセンターにおいて利用することができる。電子機器ユニット固定スタンドは、上下方向へ起立した複数の電子機器ユニットが横方向へ並んだ状態でベースプレートの上面に設置・固定されるから、電子機器ユニットが平積みされることはなく、自己発熱する電子機器ユニットの熱を効率よく逃がすことができ、データセンターの空調機から給気された冷気によってそれら電子機器ユニットを十分に冷却することができる。
【００２６】
第１案内開口に位置して横方向へ延びていてそれら支持プレートの前端部に連結された第１伸縮弾性部材と、第２案内開口に位置して横方向へ延びていてそれら支持プレートの後端部に連結された第２伸縮弾性部材とを含み、第１および第２伸縮弾性部材によってそれら支持プレートが横方向へ付勢され、電子機器ユニットの両側に位置するそれら支持プレートが第１および第２伸縮弾性部材の付勢力によって電子機器ユニットを押圧状態で挟み込む電子機器ユニット固定スタンドは、第１および第２伸縮弾性部材の付勢力によってそれら支持プレートが電子機器ユニットを押圧状態で挟み込むから、それら支持プレートを電子機器ユニットの両側面に密着させることができ、その状態でそれら支持プレートを第１固定手段を介してベースプレートに固定することができ、電子機器ユニットと支持プレートとの間に隙間が生ずることがなく、支持プレートを利用して電子機器ユニットをベースプレートに確実に固定することができる。
【００２７】
第２案内開口近傍に延びる前記第３案内開口に位置して前後方向へ延びていてそれら支持スライダーに連結された第３伸縮弾性部材を含み、第３伸縮弾性部材によってそれら支持スライダーが第２案内開口に向かって前方へ付勢され、それら支持スライダーが第３伸縮弾性部材の付勢力によって電子機器ユニットの端部に押圧状態で当接する電子機器ユニット固定スタンドは、第３伸縮弾性部材の付勢力によってそれら支持スライダーが電子機器ユニットの端部に押圧状態で当接するから、それら支持スライダーを電子機器ユニットの端部に密着させることができ、その状態でそれら支持スライダーを第２固定手段を介してベースプレートに固定することができ、電子機器ユニットと支持スライダーとの間に隙間が生ずることがなく、支持スライダーを利用して電子機器ユニットをベースプレートに確実に固定することができる。
【００２８】
支持プレートが第１支持プレートと支持部の上下方向の長さ寸法が第１支持プレートの支持部の上下方向のそれよりも長い第２支持プレートとから形成され、支持スライダーが第１支持スライダーと垂直当接部の横方向の長さ寸法が第１支持スライダーの横方向のそれよりも長い第２支持スライダーとから形成されている電子機器ユニット固定スタンドは、支持部の上下方向の長さ寸法が短い第１支持プレートと支持部の上下方向の長さ寸法が長い第２支持プレートとをベースプレートにスライド可能に設置することで、上下方向の長さ寸法が小さい電子機器ユニットと上下方向の長さ寸法が大きい電子機器ユニットとを支持プレートの間に配置したとしても、上下方向の長さ寸法が異なる第１および第２支持プレートによって上下方向の長さ寸法が異なる電子機器ユニットの両側面を確実に挟み込むことができ、第１および第２支持プレートを利用して上下方向の長さ寸法が異なる電子機器ユニットをベースプレートに確実に固定することができる。電子機器ユニット固定スタンドは、垂直当接部の横方向の長さ寸法が短い第１支持スライダーと垂直当接部の横方向の長さ寸法が第１支持スライダーの垂直当接部の横方向のそれよりも長い第２支持スライダーとをベースプレートにスライド可能に設置することで、横方向の長さ寸法が小さい電子機器ユニットの端部全域に横方向の長さ寸法が小さい第１支持スライダーの垂直当接部を当接させることができ、横方向の長さ寸法が大きい電子機器ユニットの端部全域に横方向の長さ寸法が大きい第２支持スライダーの垂直当接部を当接させることができ、第１および第２支持スライダーを利用して横方向の長さ寸法が異なるそれら電子機器ユニットをベースプレートに確実に固定することができる。
【００２９】
それら支持プレートの前端部がベースプレートの上面に摺動可能に当接する水平摺動部分と上下方向へ延びる垂直支持部分とを有し、それら支持プレートの支持部がその下端から横方向へ延びた後に上方へ延びる第１支持部材とその上端から横方向へ延びた後に下方へ延びる第２支持部材とを有する電子機器ユニット固定スタンドは、支持プレートの前端部の垂直支持部分に電子機器ユニットの端部を当接させ、支持プレートの支持部と支持プレートの第１および第２支持部材とによって電子機器ユニットの両側面を挟み込み、支持プレートの前端部と支持スライダーとによって電子機器ユニットの両端部を挟み込むことで、電子機器ユニットが支持プレートおよび支持スライダーによって４点で支持されるから、支持プレートの前端部の垂直支持部分と支持プレートの支持部の第１および第２支持部材と支持スライダーとを利用して電子機器ユニットをベースプレートに確実に固定することができる。電子機器ユニット固定スタンドは、支持プレートの支持部の第１および第２支持部材が電子機器ユニットの側面に当接することで、支持部と電子機器ユニットの側面との間に間隙が形成され、その間隙を空気が通流することで、自己発熱する電子機器ユニットの熱を効率よく逃がすことができる。
【図面の簡単な説明】
【００３０】
【図１】一例として示す電子機器ユニット固定スタンドの斜視図。
【図２】電子機器ユニット固定スタンドの上面図。
【図３】電子機器ユニット固定スタンドの正面図。
【図４】電子機器ユニット固定スタンドの背面図。
【図５】電子機器ユニット固定スタンドの右側面図。
【図６】電子機器ユニット固定スタンドの左側面図。
【図７】ベースプレートの平面図。
【図８】第１固定手段を示す拡大端面図。
【図９】第２固定手段を示す拡大端面図。
【図１０】他の一例として示す電子機器ユニット固定スタンドの正面図。
【図１１】図１０の電子機器ユニット固定スタンドの上面図。
【図１２】第１引張コイルバネの連結を示す拡大端面図。
【図１３】第２引張コイルバネの連結を示す拡大端面図。
【図１４】第３引張コイルバネの連結を示す拡大端面図。
【図１５】他の一例として示す電子機器ユニット固定スタンドの斜視図。
【図１６】図１５の電子機器ユニット固定スタンドの上面図。
【図１７】図１５の電子機器ユニット固定スタンドの正面図。
【図１８】図１５の電子機器ユニット固定スタンドの背面図。
【図１９】図１５の電子機器ユニット固定スタンドの側面図。
【図２０】電子機器収容専用ラックに取り付けられた状態で示す電子機器ユニット固定スタンドの正面図。
【発明を実施するための形態】
【００３１】
一例として示す電子機器ユニット固定スタンド１０Ａの斜視図である図１等の添付の図面を参照し、本発明に係る電子機器ユニット固定スタンドの詳細を説明すると、以下のとおりである。なお、図２は、電子機器ユニット固定スタンド１０Ａの上面図であり、図３は、電子機器ユニット固定スタンド１０Ａの正面図である。図４は、電子機器ユニット固定スタンド１０Ａの背面図であり、図５は、電子機器ユニット固定スタンド１０Ａの右側面図である。図６は、電子機器ユニット固定スタンド１０Ａの左側面図であり、図７は、ベースプレート１２の平面図である。図８は、第１固定手段１５を示す拡大端面図であり、図９は、第２固定手段１７を示す拡大端面図である。
【００３２】
図１では、横方向を矢印Ｘ、前後方向を矢印Ｙで示し、上下方向を矢印Ｚで示す。図１では、ベースプレート１２の上面１３に固定された電子機器ユニット１１を１台のみ図示しているが、実際には、横方向へ並ぶ複数台の各種の電子機器ユニット１１がベースプレート１２の上面１３に着脱可能に固定される。
【００３３】
電子機器ユニット固定スタンド１０Ａは、図１に示すように、サーバやルーター、RAIDストレイジ、ファイアウォール専用機等の電子機器ユニット１１を着脱可能に固定する。電子機器ユニット固定スタンド１０Ａは、所定面積のベースプレート１２と、ベースプレート１２の上面１３に位置する複数の支持プレート１４と、それら支持プレート１４をベースプレート１２に固定する第１固定手段１５と、ベースプレート１２の上面１３に位置する複数の支持スライダー１６と、それら支持スライダー１６をベースプレート１２に固定する第２固定手段１７とから形成されている。
【００３４】
ベースプレート１２は、アルミやステンレス、ジュラルミン等の金属から作られ、平面形状が四角形の板状に成形されている。ベースプレート１２は、横方向へ延びる前後端部１８，１９と、前後方向へ延びる両側縁部２０とを有する。ベースプレート１２の前後端部１８，１９および両側部２０には、上下方向へ延びる脚部２１が一体に連接されている。
【００３５】
ベースプレート１２には、横方向へ直状に延びる第１案内開口２２と、横方向へ直状に延びる第２案内開口２３と、前後方向へ直状に延びる複数の第３案内開口２４と、横方向へ直状に延びる複数の第１通気開口２５と、前後方向へ直状に延びる複数の第２通気開口２６とが穿孔（形成）されている。ベースプレート１２の第２案内開口２３を囲繞する端縁２７（第１案内開口２２の側に延びる端縁２７）には、第２案内開口２３に位置して上下方向へ延びる垂直部２８が一体に連接されている。
【００３６】
第１案内開口２２は、横方向へ開口する帯状の貫通孔であり、ベースプレート１２の前端部１８であってベースプレート１２の両側部２０の間に形成されている。第２案内開口２３は、横方向へ開口する帯状の貫通孔であり、第１案内開口２２から後方へ所定寸法離間した位置（ベースプレート１２の略中央）であってベースプレート１２の両側部２０の間に形成され、第１案内開口２２に並行して並んでいる。第１および第２案内開口２２，２３は、横方向の長さ寸法が略同一である。第１および第２案内開口２２，２３の横方向の長さ寸法に特に限定はなく、ベースプレート１２の横方向の長さ寸法にあわせて横方向の長さ寸法が任意に設定される。
【００３７】
それら第３案内開口２４は、前後方向へ開口する帯状の貫通孔であり、第２案内開口２３から後方へ所定寸法離間した位置であってベースプレート１２の略後半分に形成され、横方向へ等間隔離間（所定寸法離間）して並んでいる。それら第３案内開口２４は、互いに並行して並び、前後方向の長さ寸法が同一である。第３案内開口２４の数や前後方向の長さ寸法に特に制限はなく、ベースプレート１２の前後方向および横方向の長さ寸法にあわせて数や前後方向の長さ寸法を任意に設定することができる。ベースプレート１２の後端部１９に延びる第３案内開口２４には、支持スライダー１６を挿入または抜き取る円形の挿脱孔２９が形成されている。
【００３８】
それら第１通気開口２５は、横方向へ開口する略帯状の貫通孔であり、第１案内開口２２と第２案内開口２３との間に形成され、前後方向へ等間隔離間（所定寸法離間）して並んでいる。それら第１通気開口２５は、互いに並行して並び、横方向の長さ寸法が同一である。第１通気開口２５の数や横方向の長さ寸法に特に制限はなく、ベースプレート１２の前後方向および横方向の長さ寸法にあわせて数や横方向の長さ寸法を任意に設定することができる。なお、第１通気開口２５が前後方向へ延びるとともに、横方向へ等間隔離間（所定寸法離間）して並んでいてもよい。
【００３９】
それら第２通気開口２６は、前後方向へ開口する略帯状の貫通孔であり、第２案内開口２３から後方へ所定寸法離間した位置であってそれら第３案内開口２４の間に形成され、横方向へ等間隔離間（所定寸法離間）して並んでいる。それら第２通気開口２６は、互いに並行して並び、前後方向の長さ寸法が同一である。第２通気開口２６の数や前後方向の長さ寸法に特に制限はなく、ベースプレート１２の前後方向および横方向の長さ寸法にあわせて数や前後方向の長さ寸法を任意に設定することができる。なお、第２通気開口２６が横方向へ延びるとともに、前後方向へ等間隔離間（所定寸法離間）して並んでいてもよい。
【００４０】
それら支持プレート１４は、アルミやステンレス、ジュラルミン等の金属から作られている。それら支持プレート１４は、ベースプレート１２の略前半分に配置され、ベースプレート１２の上面１３において横方向へ並行して並んでいる。それら支持プレート１４は、前後方向の長さ寸法が同一である。支持プレート１２の数や前後方向の長さ寸法に特に制限はなく、ベースプレート１２の前後方向および横方向の長さ寸法にあわせてその数や前後方向の長さ寸法を任意に設定することができる。
【００４１】
支持プレート１４は、横方向へスライド可能な前端部３０と、横方向へスライド可能な後端部３２と、前後端部３０，３２の間に位置して前後方向へ延びる中間部３１と、上下方向へ延びる所定面積の支持部３３とを有する。それら支持プレート１４は、その前端部３０が第１案内開口２２において横方向へスライド可能であり、その後端部３２が第２案内開口２３において横方向へスライド可能であるから、ベースプレート１２の上面１３において横方向へスライド可能である。
【００４２】
支持プレート１４の前端部３０は、第１案内開口２２に配置され、第１固定手段１５による固定が解除されている場合、第１案内開口２２において横方向一方と横方向他方とへスライドさせることができる。前端部３０は、ベースプレート１２の上面１３に摺動可能に当接する水平摺動部分３４と、水平摺動部分３４の後端に連接された垂直支持部分３５とを有する。
【００４３】
前端部３０の水平摺動部分３４は、略四角形に成形されて横方向へ延びている。水平摺動部分３４には、後記する第１固定金具４３の回転防止用の凸条４６が挿入される一対の挿入孔３６が穿孔（形成）され、後記する第１螺子部材４４（第１ビス）が挿入される前後方向へ長い挿入孔３７（ビス孔）が穿孔（形成）されている。前端部３０の垂直支持部分３５は、略四角形に成形されて上下方向へ延びている。中間部３１は、ベースプレート１２の上面１３に摺動可能に当接し、ベースプレート１２の略前半分において横方向一方と横方向他方とへスライド可能である。前端部３０と中間部３１とは、螺子（ビス）およびナットによって着脱可能に連結されている。
【００４４】
支持プレート１４の後端部３２は、第２案内開口２３に配置され、第１固定手段１５による固定が解除されている場合、第２案内開口２３において横方向一方と横方向他方とへスライドさせることができる。後端部３２は、ベースプレート１２の第２案内開口２３に位置して第２案内開口２３を囲繞する端縁２７（第１案内開口２２の側に延びる端縁２７）から上下方向下方へ延びる垂直摺動部分３８と、垂直摺動部分３８の下端から前後方向前方へ延びる水平摺動部分３９とを有する。後端部３２の垂直摺動部分３８は、ベースプレート１２の垂直部２８に摺動可能に当接し、後端部３２の水平摺動部分３９は、ベースプレート１２の垂直部２８の下端に摺動可能に当接している。
【００４５】
支持プレート１４の支持部３３は、プレート１４の後端部３２と中間部３１とに位置し、螺子およびナットによって後端部３２と中間部３１とに着脱可能に連結されている。なお、支持部３３が前後端部３０，３２と中間部３１とに位置していてもよい。支持部３３は、ベースプレート１２の上面１３において横方向一方と横方向他方とへスライド可能である。支持部３３の下端近傍には、横方向へ凸となるクッションゴム４０が取り付けられ、支持部３３の上端近傍には、横方向へ凸となるクッションゴム４０が取り付けられている。
【００４６】
支持プレート１４の支持部３３は、その下端から横方向へ延びた後に上方へ延びる第１支持アングル４１（第１支持部材）と、その上端から横方向へ延びた後に下方へ延びる第２支持アングル４２（第２支持部材）とを有する。第１支持アングル４１は、断面Ｌ字状に成形され、支持部３３と一体成形されている。第１支持アングル４１には、横方向へ凸となるクッションゴム４０が取り付けられている。第２支持アングル４２は、断面Ｌ字状に成形され、螺子およびナットによって支持部３３の上端から横方向へ延びるフランジに着脱可能に取り付けられている。第２支持アングル４２には、横方向へ凸となるクッションゴム４０が取り付けられている。
【００４７】
第１固定手段１５は、第１案内開口２２に位置する支持プレート１４の前端部３０の水平摺動部分３４に形成されている。第１固定手段１５は、第１案内開口２２近傍に延びるベースプレート１２を挟んで支持プレート１４の前端部３０の水平摺動部分３４の下面に位置する第１固定金具４３（第１固定コマ）と、第１固定金具４３の螺着孔４７に螺着された第１螺子部材４４（第１ビス）とから形成されている。第１固定金具４３は、アルミやステンレス、ジュラルミン等の金属から作られ、所定面積の略四角形に成形されている。
【００４８】
第１固定金具４３は、その前後端部が第１案内開口２２を囲繞するベースプレート１２の下面４５に位置している。第１固定金具４３の両側縁には、上下方向へ凸となって前後方向へ延びる回転防止用の凸条４６が一体に連接されている。第１固定金具４３は、回転防止用の凸条４６が支持プレート１４の前端部３０の水平摺動部分３４に穿孔された挿入孔３６に挿入されている。第１固定金具４３は、前端部３０の水平摺動部分３４の挿入孔３６に挿入された回転防止用の凸条４６によって水平方向の回転が阻止されている。第１螺子部材４４（第１ビス）は、支持プレート１４の前端部３０の水平摺動部分３４に穿孔された挿入孔３７に挿入されているとともに、第１固定金具４３の螺着孔４７に螺着されている。
【００４９】
第１螺子部材４４（第１ビス）を時計回り方向に回転させると、第１螺子部材４４が第１固定金具４３の螺着孔４７を時計回り方向へ回転し、第１螺子部材４４が第１固定金具４３から下方へ次第に延出して第１固定金具４３が支持プレート１４の前端部３０の水平摺動部分３４に次第に近づき、第１固定金具４３と水平摺動部分３４とが第１案内開口２２近傍に延びるベースプレート１２を挟み込む。第１固定金具４３と水平摺動部分３４とがベースプレート１２を強固に挟み込むことで、支持プレート１４の前端部３０がベースプレート１２にスライド不能に固定され、それによって支持プレート１４がベースプレート１２にスライド不能に固定される。
【００５０】
第１固定金具４３と水平摺動部分３４とがベースプレート１２を挟み込んだ状態から、第１螺子部材４４（第１ビス）を反時計回り方向に回転させると、第１螺子部材４４が第１固定金具４３の螺着孔４７を反時計回り方向へ回転し、第１螺子部材４４が第１固定金具４３から上方へ次第に延出して第１固定金具４３が支持プレート１４の前端部３０の水平摺動部分３４から次第に離間し、第１案内開口２２近傍に延びるベースプレート１２に対する第１固定金具４３と水平摺動部分３４との挟み込みが次第に解除され、ベースプレート１２に対する支持プレート１４の固定が解除される。ベースプレート１２に対する支持プレート１４の固定が解除されると、支持プレート１４がベースプレート１２の上面１３において横方向へスライド可能になる。第１螺子部材４４を時計回り方向と反時計回り方向とへ回転させることで、ベースプレート１２に対する支持プレート１４の固定とベースプレート１２に対する支持プレート１４の固定解除とを繰り返すことができる。
【００５１】
それら支持スライダー１６は、アルミやステンレス、ジュラルミン等の金属から作られている。それら支持スライダー１６は、ベースプレート１２の上面１３であってそれら支持プレート１４の後方に位置（ベースプレート１２の略後半分に位置）し、ベースプレート１２の横方向へ等間隔離間（所定寸法離間）して並んでいる。支持スライダー１６は、第３案内開口２４に配置され、第２固定手段１７による固定が解除されている場合、第３案内開口２４において前後方向前方と前後方向後方とへスライドさせることができる。
【００５２】
支持スライダー１６は、ベースプレート１２の上面１３に摺動可能に当接する水平摺動部４８と、水平摺動部４８の前端に連接された垂直支持部４９とを有する。支持スライダー１６の水平摺動部４８は、略四角形に成形されて横方向へ延びている。水平摺動部４８には、後記する第２固定金具５２の回転防止用の凸条５５が挿入される一対の挿入孔５０が穿孔（形成）され、後記する第２螺子部材５４（第２ビス）が挿入される横方向へ長い挿入孔５１（ビス孔）が穿孔（形成）されている。支持スライダー１６の垂直支持部４９は、略四角形に成形されて上下方向へ延びている。
【００５３】
第２固定手段１７は、第３案内開口２４に位置する支持スライダー１６に形成されている。第２固定手段１７は、第３案内開口２４近傍に延びるベースプレート１２を挟んで支持スライダー１６の水平摺動部４８の下面に位置する第２固定金具５２（第２固定コマ）と、第２固定金具５２の螺着孔５３に螺着された第２螺子部材５４（第２ビス）とから形成されている。第２固定金具５２は、アルミやステンレス、ジュラルミン等の金属から作られ、所定面積の略四角形に成形されている。
【００５４】
第２固定金具５２は、その両側縁部が第３案内開口２４を囲繞するベースプレート１２の下面４５に位置している。第２固定金具５２の前後端縁には、上下方向へ凸となって横方向へ延びる回転防止用の凸条５５が一体に連接されている。第２固定金具５２は、回転防止用の凸条５５が支持スライダー１６の水平摺動部４８に穿孔された挿入孔５０に挿入されている。第２固定金具５２は、支持スライダー１６の水平摺動部４８の挿入孔５０に挿入された回転防止用の凸条５５によって水平方向の回転が阻止されている。第２螺子部材５４（第２ビス）は、支持スライダー１６の水平摺動部４８に穿孔された挿入孔５１に挿入されているとともに、第２固定金具５２の螺着孔５３に螺着されている。
【００５５】
第２螺子部材５４（第２ビス）を時計回り方向に回転させると、第２螺子部材５４が第２固定金具５２の螺着孔５３を時計回り方向へ回転し、第２螺子部材５４が第２固定金具５２から下方へ次第に延出して第２固定金具５２が支持スライダー１６の水平摺動部４８に次第に近づき、第２固定金具５２と水平摺動部４８とが第３案内開口２４近傍に延びるベースプレート１２を挟み込む。第２固定金具５２と水平摺動部４８とがベースプレート１２を強固に挟み込むことで、支持スライダー１６がベースプレート１２にスライド不能に固定される。
【００５６】
第２固定金具５２と水平摺動部４８とがベースプレート１２を挟み込んだ状態から、第２螺子部材５４（第２ビス）を反時計回り方向に回転させると、第２螺子部材５４が第２固定金具５２の螺着孔５３を反時計回り方向へ回転し、第２螺子部材５４が第２固定金具５２から上方へ次第に延出して第２固定金具５２が支持スライダー１６の水平摺動部４８から次第に離間し、第３案内開口２２近傍に延びるベースプレート１２に対する第２固定金具５２と水平摺動部４８との挟み込みが次第に解除され、ベースプレート１２に対する支持スライダー１６の固定が解除される。ベースプレート１２に対する支持スライダー１６の固定が解除されると、支持スライダー１６がベースプレート１２の上面１３において前後方向へスライド可能になる。第２螺子部材５４を時計回り方向と反時計回り方向とへ回転させることで、ベースプレート１２に対する支持スライダー１６の固定とベースプレート１２に対する支持スライダー１６の固定解除とを繰り返すことができる。
【００５７】
電子機器ユニット固定スタンド１０Ａにサーバやルーター、RAIDストレイジ、ファイアウォール専用機等の電子機器ユニット１１を固定する手順の一例を説明すると、以下のとおりである。第１螺子部材４４を反時計回り方向へ回転させ、ベースプレート１２に対する支持プレート１４の固定を解除し、第２螺子部材５４を反時計回り方向へ回転させ、ベースプレート１２に対する支持スライダー１６の固定を解除した後、支持スライダー１６を第３案内開口２４において前後方向後方へスライド（移動）させ、支持プレート１４を横方向一方と横方向他方とへスライド（移動）させ、横方向に隣接する支持プレート１４を横方向へ離間させる。
【００５８】
次に、電子機器ユニット１１を上下方向へ起立させ、起立した状態の電子機器ユニット１１をベースプレート１２の上面１３であって横方向へ隣接する支持プレート１４の間に配置し、電子機器ユニット１１の前端部（端部）を支持プレート１４の前端部３０の垂直支持部分３５に当接させる。なお、起立させた電子機器ユニット１１は、長方形の六面を有する上下方向へ長い直方体であり、後端部（端部）から延びる電源ケーブル５６（電線）がベースプレート１２の略後半分に延出する。
【００５９】
電子機器ユニット１１の前端部を支持プレート１４の前端部３０の垂直支持部分３５に当接させた後、電子機器ユニット１１の両側に位置する一方の支持プレート１４を横方向一方へスライドさせて一方の支持プレート１４を電子機器ユニット１１の一方の側面に当接させ、他方の支持プレート１４を横方向他方へスライドさせて他方の支持プレート１４を電子機器ユニット１１の他方の側面に当接させ、それら支持プレート１４で電子機器ユニット１１の両側面を挟み込む。
【００６０】
それら支持プレート１４が電子機器ユニット１１の両側面を挟み込むと、一方の支持プレート１４の支持部３３の第１支持アングル４１（クッションゴム４０）が電子機器ユニット１１の側面下方に当接（密着）し、一方の支持プレート１４の支持部３３の第２支持アングル４２（クッションゴム４０）が電子機器ユニット１１の側面上方に当接（密着）するとともに、他方の支持プレート１４の支持部３３（クッションゴム４０）が電子機器ユニット１１の側面に当接（密着）する。一方の支持プレート１４の支持部３３の第１および第２支持アングル４１，４２が電子機器ユニット１１の側面上方と側面下方とに当接することで、支持部３３と電子機器ユニット１１の側面との間に間隙が形成される。
【００６１】
それら支持プレート１４で電子機器ユニット１１を挟み込んだ後、第１螺子部材４４を時計回り方向へ回転させ、第１固定金具４３と支持プレート１４の前端部３０の水平摺動部分３４とでベースプレート１２を挟み込むことで、それら支持プレート１４をベースプレート１２にスライド不能に固定する。それら支持プレート１４をベースプレート１２に固定した後、前後方向後方にスライドさせた支持スライダー１６を電子機器ユニット１１に向かって前後方向前方へスライドさせ、支持スライダー１６の垂直支持部４９を電子機器ユニット１１の後端部（端部）に当接（密着）させる。次に、第２螺子部材５４を時計回り方向へ回転させ、第２固定金具５２と支持スライダー１６の水平摺動部４８とでベースプレート１２を挟み込むことで、支持スライダー１６をベースプレート１２にスライド不能に固定する。
【００６２】
それら支持プレート１４および支持スライダー１６をベースプレート１２にスライド不能に固定すると、電子機器ユニット１１の両側面が一方の支持プレート１４の第１および第２支持アングル４１，４２と他方の支持プレート１４の支持部３３とに挟まれ、電子機器ユニット１１の前後端部が支持プレート１４の前端部３０の垂直支持部分３５と支持スライダー１６の垂直支持部４９とに挟まれ、電子機器ユニット１１が支持プレート１４および支持スライダー１６によって４点で支持され、電子機器ユニット１１がベースプレート１２の上面１３に遊動不能に固定される。
【００６３】
複数の電子機器ユニット１１をベースプレート１２の上面１３に固定した後、電子機器ユニット固定スタンド１０Ａを机や棚に載置し、それら電子機器ユニット１１の電源ケーブル５６を電源に接続してそれら電子機器ユニット１１を起動させる。電子機器ユニット１１を起動させると、電子機器ユニット１１が自己発熱し、電子機器ユニット１１の温度が上昇するが、ベースプレート１２に穿孔された第１〜第３案内開口２２〜２４や第１および第２通気開口２５，２６を空気が通流するとともに、支持プレート１４の支持部３３と電子機器ユニット１１の側面との間の間隙を空気が通流し、空気によってそれら電子機器ユニット１１が冷却される。
【００６４】
電子機器ユニット固定スタンド１０Ａは、それら支持プレート１４の間にサーバやルーター、RAIDストレイジ、ファイアウォール専用機等の電子機器ユニット１１を上下方向へ起立させた状態で配置しつつ、それら支持プレート１４を横方向へスライドさせてそれら支持プレート１４で電子機器ユニット１１の両側面を挟み込み、電子機器ユニット１１を挟み込んだそれら支持プレート１４を第１固定手段１５を介してベースプレート１２に固定するとともに、支持スライダー１６を電子機器ユニット１１に向かって前後方向へスライドさせて支持スライダー１６の垂直支持部４９を電子機器ユニット１１の後端部に当接させ、電子機器ユニット１１の後端部に当接した支持スライダー１６を第２固定手段１７を介してベースプレート１２に固定するから、電子機器ユニット１１の両側面が支持プレート１４の支持部３３と第１および第２支持アングル４１，４２とによって支持され、電子機器ユニット１１の両端部が支持プレート１４の前端部３０の垂直支持部分３５と支持スライダー１６の垂直支持部４９とによって支持され、電子機器ユニット１１が支持プレート１４および支持スライダー１６によって４点で支持されるから、電子機器ユニット１１の固定が不用意に解除されることがなく、電子機器ユニット１１をベースプレート１２に確実に固定することができる。
【００６５】
電子機器ユニット固定スタンド１０Ａは、それら支持プレート１４がベースプレート１２の上面１３を横方向へスライド可能であり、それら支持スライダー１６がベースプレート１２の上面１３の前後方向へスライド可能であるから、ベースプレート１２に固定する電子機器ユニット１１の横方向の長さ寸法にあわせてそれら支持プレート１４を電子機器ユニット１１の両側に配置することができ、電子機器ユニット１１の前後方向の長さ寸法にあわせて支持スライダー１６の垂直支持部４９を電子機器ユニット１１の後端部に当接させることができ、支持プレート１４および支持スライダー１６を利用して各種複数の大きさが異なる電子機器ユニット１１をベースプレート１２に遊動不能に固定することができる。
【００６６】
電子機器ユニット固定スタンド１０Ａは、ベースプレート１２の第１〜第３案内開口２２〜２４やベースプレート１２に穿孔された複数の第１通気開口２５と複数の第２通気開口２６とを空気が通流するとともに、支持プレート１４の支持部３３と電子機器ユニット１１の側面との間の間隙を空気が通流することで、自己発熱する電子機器ユニット１１の熱を効率よく逃がすことができ、それら電子機器ユニット１１を冷却することができる。
【００６７】
図１０は、他の一例として示す電子機器ユニット固定スタンド１０Ｂの正面図であり、図１１は、電子機器ユニット固定スタンド１０Ｂの上面図である。電子機器ユニット固定スタンド１０Ｂが図１のそれと異なるところは、支持プレート１４が第１および第２支持プレート１４ａ，１４ｂから形成され、支持スライダー１６が第１および第２支持スライダー１６ａ，１６ｂから形成されている点にあり、その他の構成は図１の電子機器ユニット固定スタンド１０Ａのそれらと同一であるから、図１の電子機器ユニット固定スタンド１０Ａの説明を援用するとともに、図１の電子機器ユニット固定スタンド１０Ａと同一の符号を付すことで、この電子機器ユニット固定スタンド１０Ｂのその他の構成の詳細な説明は省略する。
【００６８】
電子機器ユニット固定スタンド１０Ｂは、図１のそれと同様に、サーバやルーター、RAIDストレイジ、ファイアウォール専用機等の電子機器ユニット１１を着脱可能に固定する（図１参照）。電子機器ユニット固定スタンド１０Ｂは、所定面積のベースプレート１２と、ベースプレート１２の上面１３に位置して横方向へスライド可能な複数の支持プレート１４と、それら支持プレート１４をベースプレート１２に固定する第１固定手段１５と、ベースプレート１２の上面１３に位置して前後方向へスライド可能な複数の支持スライダー１６と、それら支持スライダー１６をベースプレート１２に固定する第２固定手段１７とから形成されている。ベースプレート１２や第１および第２固定手段１５，１７は、図１の電子機器ユニット固定スタンド１０Ａのそれらと同一である。
【００６９】
支持プレート１４は、支持部３３の上下方向の長さ寸法が短い複数の第１支持プレート１４ａと、支持部３３の上下方向の長さ寸法が第１支持プレート１４ａの支持部３３の上下方向のそれよりも長い複数の第２支持プレート１４ｂとから形成されている。第１および第２支持プレート１４ａ，１４ｂは、ベースプレート１２の略前半分に配置され、ベースプレート１２の上面１３において横方向へ並行して並んでいる。第１および第２支持プレート１４ａ，１４ｂは、前後方向の長さ寸法が同一である。
【００７０】
第１および第２支持プレート１４ａ，１４ｂは、第１案内開口２２に配置されて横方向へスライド可能な前端部３０と、第２案内開口２３に配置されて横方向へスライド可能な後端部３２と、前後端部３０，３２の間に位置して前後方向へ延びる中間部３１と、上下方向へ延びる所定面積の支持部３３とを有する。第１および第２支持プレート１４ａ，１４ｂは、それらの前端部３０が第１案内開口２２において横方向へスライド可能であり、それらの後端部３２が第２案内開口２３において横方向へスライド可能であるから、ベースプレート１２の上面１３において横方向へスライド可能である。第１螺子部材４４を時計回り方向と反時計回り方向とへ回転させることで、ベースプレート１２に対する第１および第２支持プレート１４ａ，１４ｂの固定とベースプレート１２に対する第１および第２支持プレート１４ａ，１４ｂの固定解除とを繰り返すことができる。
【００７１】
第１および第２支持プレート１４ａ，１４ｂの前端部３０は、ベースプレート１２の上面１３に摺動可能に当接する水平摺動部分３４と、水平摺動部分３４の後端に連接された垂直支持部分３５とを有する。水平摺動部分３４や垂直支持部分３５は、電子機器ユニット固定スタンド１０Ａの支持プレート１４のそれらと同一である。第１および第２支持プレート１４ａ，１４ｂの中間部３１は、電子機器ユニット固定スタンド１０Ａの支持プレート１４のそれと同一である。第１および第２支持プレート１４ａ，１４ｂの後端部３２は、ベースプレート１２の第２案内開口２３に位置して第２案内開口２３を囲繞する端縁２７（第１案内開口２２の側に延びる端縁２７）から上下方向下方へ延びる垂直摺動部分３８と、垂直摺動部分３８の下端から前後方向前方へ延びる水平摺動部分３９とを有する。垂直摺動部分３８や水平摺動部分は、電子機器ユニット固定スタンド１０Ａの支持プレート１４のそれらと同一である。
【００７２】
第１および第２支持プレート１４ａ，１４ｂの支持部３３は、後端部３２と中間部３１とに位置し、螺子およびナットによって後端部３２と中間部３１とに着脱可能に連結されている。第１および第２支持プレート１４ａ，１４ｂの支持部３３の下端近傍には、横方向へ凸となるクッションゴム４０が取り付けられ、支持部３３の上端近傍には、横方向へ凸となるクッションゴム４０が取り付けられている。第１および第２支持プレート１４ａ，１４ｂの支持部３３は、その下端から横方向へ延びた後に上方へ延びる第１支持アングル４１と、その上端から横方向へ延びた後に下方へ延びる第２支持アングル４２とを有する。第１および第２支持アングル４１，４２は、電子機器ユニット固定スタンド１０Ａのそれらと同一である。第１および第２支持アングル４１，４２には、横方向へ凸となるクッションゴム４０が取り付けられている。
【００７３】
支持スライダー１６は、１つの第３案内開口２４に位置して垂直支持部４９の横方向の長さ寸法が短い第１支持スライダー１６ａと、１つの第３案内開口２４に位置して垂直支持部４９の横方向の長さ寸法が第１支持スライダー１６ａの垂直支持部４９の横方向のそれよりも長い第２支持スライダー１６ｂと、２つ（２つ以上）の第３案内開口２３に跨って垂直支持部４９の横方向の長さ寸法が第１支持スライダー１６ａの垂直支持部４９の横方向のそれよりも長い第２支持スライダー１６ｂとから形成されている。第１および第２支持スライダー１６ａ，１６ｂは、ベースプレート１２の上面１３であってそれら支持プレート１４ａ，１４ｂの後方に位置（ベースプレート１２の略後半分に位置）し、ベースプレート１２の横方向へ等間隔離間（所定寸法離間）して並んでいる。
【００７４】
第１および第２支持スライダー１６ａ，１６ｂは、第３案内開口２４に配置され、第２固定手段１７による固定が解除されている場合、第３案内開口２４において前後方向前方と前後方向後方とへスライドさせることができる。第１および第２支持スライダー１６ａ，１６ｂは、ベースプレート１２の上面１３に摺動可能に当接する水平摺動部４８と、水平摺動部４８の前端に連接された垂直支持部４９とを有する。水平摺動部４８や垂直支持部４９は、電子機器ユニット固定スタンド１０Ａの支持スライダーのそれらと同一である。第２螺子部材５４を時計回り方向と反時計回り方向とへ回転させることで、ベースプレート１２に対する第１および第２支持スライダー１６ａ，１６ｂの固定とベースプレート１２に対する第１および第２支持スライダー１６ａ，１６ｂの固定解除とを繰り返すことができる。
【００７５】
電子機器ユニット固定スタンド１０Ｂにサーバやルーター、RAIDストレイジ、ファイアウォール専用機等の上下方向の長さ寸法や横方向の長さ寸法が異なる電子機器ユニット１１を固定する手順の一例を説明すると、以下のとおりである。第１螺子部材４４を反時計回り方向へ回転させ、ベースプレート１２に対する第１および第２支持プレート１４ａ，１４ｂの固定を解除し、第２螺子部材５４を反時計回り方向へ回転させ、ベースプレート１２に対する第１および第２支持スライダー１６ａ，１６ｂの固定を解除した後、第１および第２支持スライダー１６ａ，１６ｂを第３案内開口２４において前後方向後方へスライド（移動）させ、第１および第２支持プレート１４ａ，１４ｂを横方向一方と横方向他方とへスライド（移動）させ、横方向に隣接する第１および第２支持プレート１４ａ，１４ｂを横方向へ離間させる。
【００７６】
次に、上下方向の長さ寸法と横方向の長さ寸法とが短い第１電子機器ユニット１１を上下方向へ起立させ、起立した状態の第１電子機器ユニット１１をベースプレート１２の上面１３であって横方向へ隣接する第１支持プレート１４ａの間に配置しつつ、第１電子機器ユニット１１を第１支持スライダー１６ａの前方に配置し、第１電子機器ユニット１１の前端部（端部）を第１支持プレート１４ａの前端部３０の垂直支持部分３５に当接させる。
【００７７】
さらに、上下方向の長さ寸法と横方向の長さ寸法とが長い第２電子機器ユニット１１を上下方向へ起立させ、起立した状態の第２電子機器ユニット１１をベースプレート１２の上面１３であって横方向へ隣接する第２支持プレート１４ｂの間に配置しつつ、第２電子機器ユニット１１を第２支持スライダー１６ａの前方に配置し、第２電子機器ユニット１１の前端部（端部）を第２支持プレート１４ａの前端部３０の垂直支持部分３５に当接させる。なお、起立させた第１および第２電子機器ユニット１１は、長方形の六面を有する上下方向へ長い直方体であり、後端部（端部）から延びる電源ケーブル５６（電線）がベースプレート１２の略後半分に延出する。
【００７８】
第１電子機器ユニット１１の前端部を第１支持プレート１４ａの前端部３０の垂直支持部分３５に当接させた後、第１電子機器ユニット１１の両側に位置する一方の第１支持プレート１４ａを横方向一方へスライドさせて一方の第１支持プレート１４ａを第１電子機器ユニット１１の一方の側面に当接させ、他方の第１支持プレート１４ａを横方向他方へスライドさせて他方の第１支持プレート１４ａを第１電子機器ユニット１１の他方の側面に当接させ、それら第１支持プレート１４ａで第１電子機器ユニット１１の両側面を挟み込む。
【００７９】
第２電子機器ユニット１１の前端部を第２支持プレート１４ｂの前端部３０の垂直支持部分３５に当接させた後、第２電子機器ユニット１１の両側に位置する一方の第２支持プレート１４ｂを横方向一方へスライドさせて一方の第２支持プレート１４ｂを第２電子機器ユニット１１の一方の側面に当接させ、他方の第２支持プレート１４ｂを横方向他方へスライドさせて他方の第２支持プレート１４ｂを第２電子機器ユニット１１の他方の側面に当接させ、それら第２支持プレート１４ｂで第２電子機器ユニット１１の両側面を挟み込む。
【００８０】
第１および第２支持プレート１４ａ，１４ｂが第１および第２電子機器ユニット１１の両側面を挟み込むと、一方の第１および第２支持プレート１４ａ，１４ｂの支持部３３の第１支持アングル４１（クッションゴム４０）が電子機器ユニット１１の側面下方に当接（密着）し、一方の第１および第２支持プレート１４ａ，１４ｂの支持部３３の第２支持アングル４２（クッションゴム４０）が電子機器ユニット１１の側面上方に当接（密着）するとともに、他方の第１および第２支持プレート１４ａ，１４ｂの支持部３３（クッションゴム４０）が電子機器ユニット１１の側面に当接（密着）する。一方の第１および第２支持プレート１４ａ，１４ｂの支持部３３の第１および第２支持アングル４１，４２が第１および第２電子機器ユニット１１の側面上方と側面下方とに当接することで、支持部３３と第１および第２電子機器ユニット１１の側面との間に間隙が形成される。
【００８１】
第１および第２支持プレート１４ａ，１４ｂで第１および第２電子機器ユニット１１を挟み込んだ後、第１螺子部材４４を時計回り方向へ回転させ、第１固定金具４３と第１および第２支持プレート１４ａ，１４ｂの前端部３０の水平摺動部分３４とでベースプレート１２を挟み込むことで、それら支持プレート１４ａ，１４ｂをベースプレート１２にスライド不能に固定する。第１および第２支持プレート１４ａ，１４ｂをベースプレート１２に固定した後、前後方向後方にスライドさせた第１および第２支持スライダー１６ａ，１６ｂを第１および第２電子機器ユニット１１に向かって前後方向前方へスライドさせ、それら支持スライダー１６ａ，１６ｂの垂直支持部４９をそれら電子機器ユニット１１の後端部（端部）に当接（密着）させる。次に、第２螺子部材５４を時計回り方向へ回転させ、第２固定金具５２と第１および第２支持スライダー１６ａ，１６ｂの水平摺動部４８とでベースプレート１２を挟み込むことで、それら支持スライダー１６ａ，１６ｂをベースプレート１２にスライド不能に固定する。
【００８２】
第１および第２支持プレート１４ａ，１４ｂおよび第１および第２支持スライダー１６ａ，１６ｂをベースプレート１２にスライド不能に固定すると、第１および第２電子機器ユニット１１の両側面が一方の第１および第２支持プレート１４ａ，１４ｂの第１および第２支持アングル４１，４２と他方の第１および第２支持プレート１４ａ，１４ｂの支持部３３とに挟まれ、第１および第２電子機器ユニット１１の前後端部が第１および第２支持プレート１４ａ，１４ｂの前端部３０の垂直支持部分３５と第１および第２支持スライダー１６ａ，１６ｂの垂直支持部４９とに挟まれ、それら電子機器ユニット１１がそれら支持プレート１４ａ，１４ｂおよびそれら支持スライダー１６ａ，１６ｂによって４点で支持され、第１および第２電子機器ユニット１１がベースプレート１２の上面１３に遊動不能に固定される。
【００８３】
第１および第２電子機器ユニット１１をベースプレート１２の上面１３に遊動不能に固定した後、電子機器ユニット固定スタンド１０Ｂを机や棚に載置し、それら電子機器ユニット１１の電源ケーブル５６を電源に接続してそれら電子機器ユニット１１を起動させる。第１および第２電子機器ユニット１１を起動させると、それら電子機器ユニット１１が自己発熱し、電子機器ユニット１１の温度が上昇するが、ベースプレート１２に穿孔された第１〜第３案内開口２２〜２４や第１および第２通気開口２５，２６を空気が通流するとともに、第１および第２支持プレート１４ａ，１４ｂの支持部３３と第１および第２電子機器ユニット１１の側面との間の間隙を空気が通流し、空気によってそれら電子機器ユニット１１が冷却される。
【００８４】
電子機器ユニット固定スタンド１０Ｂは、電子機器ユニット固定スタンド１０Ａが有する効果に加え、以下の効果を有する。電子機器ユニット固定スタンド１０Ｂは、支持部３３の上下方向の長さ寸法が短い第１支持プレート１４ａと支持部３３の上下方向の長さ寸法が長い第２支持プレート１４ｂとをベースプレート１２にスライド可能に設置することで、上下方向の長さ寸法が小さい第１電子機器ユニット１１と上下方向の長さ寸法が大きい第２電子機器ユニット１２とを支持プレート１４の間に配置したとしても、上下方向の長さ寸法が異なる第１および第２支持プレート１４ａ，１４ｂによって上下方向の長さ寸法が異なるそれら電子機器ユニット１１の両側面を確実に挟み込むことができ、第１および第２支持プレート１４ａ，１４ｂを利用して上下方向の長さ寸法が異なる第１および第２電子機器ユニット１１をベースプレート１２に確実に固定することができる。
【００８５】
電子機器ユニット固定スタンド１０Ｂは、垂直当接部４９の横方向の長さ寸法が短い第１支持スライダー１６ａと垂直当接部４９の横方向の長さ寸法が第１支持スライダー１６ａの垂直当接部４９の横方向のそれよりも長い第２支持スライダー１６ｂとをベースプレート１２にスライド可能に設置することで、横方向の長さ寸法が小さい第１電子機器ユニット１１の後端部全域に横方向の長さ寸法が小さい第１支持スライダー１６ａの垂直当接部４９を当接させることができ、横方向の長さ寸法が大きい第２電子機器ユニット１１の後端部全域に横方向の長さ寸法が大きい第２支持スライダー１６ｂの垂直当接部４９を当接させることができ、第１および第２支持スライダー１６ａ，１６ｂを利用して横方向の長さ寸法が異なるそれら電子機器ユニット１１をベースプレート１２に確実に固定することができる。
【００８６】
図１２は、第１引張コイルバネ５７の連結を示す拡大端面図であり、図１３は、第２引張コイルバネ５８の連結を示す拡大端面図である。図１４は、第３引張コイルバネ５９の連結を示す拡大端面図である。電子機器ユニット固定スタンド１０Ｃが図１のそれと異なるところは、複数の第１引張コイルバネ５７と複数の第２引張コイルバネ５８と複数の第３引張コイルバネ５９とを有する点にあり、その他の構成は図１の電子機器ユニット固定スタンド１０Ａのそれらと同一であるから、図１の電子機器ユニット固定スタンド１０Ａの説明を援用するとともに、図１の電子機器ユニット固定スタンド１０Ａと同一の符号を付すことで、この電子機器ユニット固定スタンド１０Ｃのその他の構成の詳細な説明は省略する。
【００８７】
電子機器ユニット固定スタンド１０Ｃは、図１のそれと同様に、サーバやルーター、RAIDストレイジ、ファイアウォール専用機等の電子機器ユニット１１を着脱可能に固定する（図１参照）。電子機器ユニット固定スタンド１０Ｃは、所定面積のベースプレート１２と、ベースプレート１２の上面１３に位置して横方向へスライド可能な複数の支持プレート１４と、それら支持プレート１４をベースプレート１２に固定する第１固定手段１５と、ベースプレート１２の上面１３に位置して前後方向へスライド可能な複数の支持スライダー１６と、それら支持スライダー１６をベースプレート１２に固定する第２固定手段１７と、第１〜第３コイルバネ５７〜５９（第１〜第３伸縮弾性部材）とから形成されている。ベースプレート１２や支持プレート１４、支持スライダー１６、第１および第２固定手段１５，１７は、図１の電子機器ユニット固定スタンド１０Ａのそれらと同一である。
【００８８】
支持プレート１４の前端部３０の水平摺動部分３４の両側縁には、図１２に示すように、下方へ延出するフック６０が取り付けられている。支持プレート１４の後端部３２の垂直摺動部分３８には、図１３に示すように、横方向へ延出するフック６１が取り付けられている。なお、図示はしていないが、ベースプレート１２の第１案内開口２２に位置する脚部２１には、横方向へ延びるフックが取り付けられ、ベースプレート１２の第２案内開口２３に位置する脚部２１には、横方向へ延びるフックが取り付けられている。
【００８９】
それら第１引張コイルバネ５７（第１伸縮弾性部材）は、第１案内開口２２であって第１固定金具４３の下方に位置して横方向へ延びている。第１引張コイルバネ５７は、その前端が横方向へ隣接する一方の支持プレート１４の前端部３９の水平摺動部分３４に取り付けられたフック６０に係合し、その後端が横方向へ隣接する他方の支持プレート１４の前端部３０の水平摺動部分３４に取り付けられたフック６０に係合することで、それら支持プレート１４の前端部３０に連結されている。ベースプレート１２の脚部２１の側に位置する第１引張コイルバネ５７の後端は、脚部２１に取り付けられたフックに係合している。
【００９０】
それら第２引張コイルバネ５８（第２伸縮弾性部材）は、第２案内開口２３であって支持プレート１４の後端部３２の垂直摺動部分３８の側方に位置して横方向へ延びている。第２引張コイルバネ５８は、その前端が横方向へ隣接する一方の支持プレート１４の後端部３２の垂直摺動部分３８に取り付けられたフック６１に係合し、その後端が横方向へ隣接する他方の支持プレート１４の後端部３２の垂直摺動部分３８に取り付けられたフック６１に係合することで、それら支持プレート１４の後端部３２に連結されている。ベースプレート１２の脚部２１の側に位置する第２引張コイルバネ５８の後端は、脚部２１に取り付けられたフックに係合している。
【００９１】
電子機器ユニット固定スタンド１０Ｃでは、横方向に隣接するそれら支持プレート１４が第１および第２引張コイルバネ５７，５８によって連結されている。第１引張コイルバネ５７のバネ付勢力（付勢力）によってそれら支持プレート１４の前端部３０が横方向へバネ付勢（付勢）され、第２引張コイルバネ５８のバネ付勢力（付勢力）によってそれら支持プレート１４の後端部３２が横方向へバネ付勢（付勢）されている。なお、第１および第２伸縮弾性部材として、引張コイルバネ５７，５８の他に、帯状または紐状のゴムを利用することもできる。また、電子機器ユニット固定スタンド１０Ｃと同様の第１および第２引張コイルバネ５７，５８（第１および第２伸縮弾性部材）が電子機器ユニット固定スタンド１０Ｂの第１および第２案内開口２２，２３に設置され、電子機器ユニット固定スタンド１０Ｂの横方向に隣接するそれら支持プレート１４が第１および第２引張コイルバネ５７，５８によって連結されていてもよい。
【００９２】
ベースプレート１２の中央であって第３案内開口２４近傍に延びるベースプレート１２には、図１４に示すように、下方へ延出するフック６２が取り付けられ、支持スライダー１６の水平摺動部４８の前端には、下方へ延出するフック６３が取り付けられている。それら第３引張コイルバネ５９（第３伸縮弾性部材）は、第２案内開口２３近傍に延びる第３案内開口２４に位置して前後方向へ延びている。第３引張コイルバネ５９は、その前端が第３案内開口２４近傍に延びるベースプレート１２に取り付けられたフック６２に係合し、その後端が支持スライダー１６の水平摺動部４８の前端に取り付けられたフック６３に係合することで、ベースプレート１２と支持スライダー１６とに連結されている。
【００９３】
電子機器ユニット固定スタンド１０Ｃでは、第３引張コイルバネ５９のバネ付勢力（付勢力）によってそれら支持スライダー１６が前後方向前方へバネ付勢（付勢）されている。なお、第３伸縮弾性部材として、引張コイルバネ５９の他に、帯状または紐状のゴムを利用することもできる。また、電子機器ユニット固定スタンド１０Ｃと同様の第３引張コイルバネ５９（第３伸縮弾性部材）が電子機器ユニット固定スタンド１０Ｂの第２案内開口２３近傍に延びる前記第３案内開口２４に設置されていてもよい。
【００９４】
電子機器ユニット固定スタンド１０Ｃにサーバやルーター、RAIDストレイジ、ファイアウォール専用機等の電子機器ユニット１１を固定する手順の一例を説明すると、以下のとおりである。第１螺子部材４４を反時計回り方向へ回転させ、ベースプレート１２に対する支持プレート１４の固定を解除し、第２螺子部材５４を反時計回り方向へ回転させ、ベースプレート１２に対する支持スライダー１６の固定を解除した後、第３引張コイルバネ５９の付勢力に抗して支持スライダー５９を第３案内開口２４において前後方向後方へスライド（移動）させ、第１および第２引張コイルバネ５７，５８の付勢力に抗して支持プレート１４を横方向一方と横方向他方とへスライド（移動）させ、横方向に隣接する支持プレート１４を横方向へ離間させる。次に、起立した状態の電子機器ユニット１１をベースプレート１２の上面１３であって横方向へ隣接する支持プレート１４の間に配置し、電子機器ユニット１１の前端部（端部）を支持プレート１４の前端部３０の垂直支持部分３５に当接させる。
【００９５】
電子機器ユニット１１の前端部を支持プレート１４の前端部３０の垂直支持部分３５に当接させた後、電子機器ユニット１１の両側に位置する一方の支持プレート１４を第１および第２引張コイルバネ５７，５８の付勢力によって横方向一方へスライドさせて一方の支持プレート１４を電子機器ユニット１１の一方の側面に当接させ、他方の支持プレート１４を第１および第２引張コイルバネ５７，５８の付勢力によって横方向他方へスライドさせて他方の支持プレート１４を電子機器ユニット１１の他方の側面に当接させる。電子機器ユニット１１の両側に位置するそれら支持プレート１４が第１および第２引張コイルバネ５７，５８の付勢力によって電子機器ユニット１１を押圧状態で挟み込む。
【００９６】
前後方向後方にスライドさせた支持スライダー１６を第３引張コイルバネ５９の付勢力によって電子機器ユニット１１に向かって前後方向前方へスライドさせ、支持スライダー１６の垂直支持部４９を電子機器ユニット１１の後端部（端部）に当接（密着）させる。それら支持スライダー１６の垂直支持部４９が第３引張コイルバネ５９の付勢力によって電子機器ユニット１１の後端部に押圧状態で当接する。次に、第１螺子部材４４を時計回り方向へ回転させ、第１固定金具４３と支持プレート１４の前端部３０の水平摺動部分３４とでベースプレート１２を挟み込むことで、それら支持プレート１４をベースプレート１２にスライド不能に固定し、第２固定金具５４と支持スライダー１６の水平摺動部４８とでベースプレート１２を挟み込むことで、支持スライダー１６をベースプレート１２にスライド不能に固定する。
【００９７】
それら支持プレート１４およびそれら支持スライダー１６をベースプレート１２にスライド不能に固定すると、電子機器ユニット１１の両側面が一方の支持プレート１４の第１および第２支持アングル４１，４２と他方の支持プレート１４の支持部３３とに挟まれ、電子機器ユニット１１の前後端部が支持プレート１４の前端部３０の垂直支持部分３５と支持スライダー１６の垂直支持部４９とに挟まれ、電子機器ユニット１１が支持プレート１４および支持スライダー１６によって４点で支持され、電子機器ユニット１１がベースプレート１２の上面１３に遊動不能に固定される。
【００９８】
電子機器ユニット固定スタンド１０Ｃは、電子機器ユニット固定スタンド１０Ａや電子機器ユニット固定スタンド１０Ｂが有する効果に加え、以下の効果を有する。電子機器ユニット固定スタンド１０Ｃは、第１および第２引張コイルバネ５７，５８（第１および第２伸縮弾性部材）の付勢力によってそれら支持プレート１４が電子機器ユニット１１を押圧状態で挟み込むから、それら支持プレート１４を電子機器ユニット１１の両側面に密着させることができ、その状態でそれら支持プレート１４を第１固定手段１５を介してベースプレート１２に固定することができ、電子機器ユニット１１と支持プレート１４との間に隙間が生ずることがなく、支持プレート１４を利用して電子機器ユニット１１をベースプレート１２に確実に固定することができる。
【００９９】
電子機器ユニット固定スタンド１０Ｃは、第３引張コイルバネ５９（第３伸縮弾性部材）の付勢力によってそれら支持スライダー１６の垂直支持部４９が電子機器ユニット１１の後端部（端部）に押圧状態で当接するから、それら支持スライダー１６の垂直支持部４９を電子機器ユニット１１の後端部に密着させることができ、その状態でそれら支持スライダー１６を第２固定手段１７を介してベースプレート１２に固定することができ、電子機器ユニット１１と支持スライダー１６との間に隙間が生ずることがなく、支持スライダー１６を利用して電子機器ユニット１１をベースプレート１２に確実に固定することができる。
【０１００】
図１５は、他の一例として示す電子機器ユニット固定スタンド１０Ｄの斜視図であり、図１６は、電子機器ユニット固定スタンド１０Ｄの上面図である。図１７は、電子機器ユニット固定スタンド１０Ｄの正面図であり、図１８は、電子機器ユニット固定スタンド１０Ｄの背面図である。図１９は、電子機器ユニット固定スタンド１０Ｄの側面図であり、図２０は、電子機器収容専用ラック６４に取り付けられた状態で示す電子機器ユニット固定スタンド１０Ｄの正面図である。図１５では、横方向を矢印Ｘ、前後方向を矢印Ｙで示し、上下方向を矢印Ｚで示す。図１５では、ベースプレート１２の上面１３に固定された電子機器ユニット１１を１台のみ図示しているが、実際には、横方向へ並ぶ複数台の電子機器ユニット１１がベースプレート１２の上面１３に着脱可能に固定される。
【０１０１】
電子機器ユニット固定スタンド１０Ｄが図１のそれと異なるところは、ベースプレート１２の面積が図１の電子機器ユニット固定スタンド１０Ａのそれよりも大きく、電子機器ユニット固定スタンド１０Ａよりも多くの支持プレート１４や支持スライダー１６が設置されている点、電源ケーブル５６（電線）を係止するフック６５がベースプレート１２の後端部１９に形成されている点、電子機器ユニット固定スタンド１０Ｄをインターネットデータセンターに据え付けられた電子機器収容専用ラック６４に着脱可能に取り付ける一対の取付プレート６６を有する点にある。
【０１０２】
電子機器ユニット固定スタンド１０Ｄのその他の構成は図１の電子機器ユニット固定スタンド１０Ａのそれらと同一であるから、図１の電子機器ユニット固定スタンド１０Ａの説明を援用するとともに、図１の電子機器ユニット固定スタンド１０Ａと同一の符号を付すことで、この電子機器ユニット固定スタンド１０Ｃのその他の構成の詳細な説明は省略する。
【０１０３】
電子機器ユニット固定スタンド１０Ｄは、図１のそれと同様に、サーバやルーター、RAIDストレイジ、ファイアウォール専用機等の電子機器ユニット１１を着脱可能に固定する（図１参照）。電子機器ユニット固定スタンド１０Ｄは、所定面積のベースプレート１２と、ベースプレート１２の上面１３に位置して横方向へスライド可能な複数の支持プレート１４と、それら支持プレート１４をベースプレート１２に固定する第１固定手段１５と、ベースプレート１２の上面１３に位置して前後方向へスライド可能な複数の支持スライダー１６と、それら支持スライダー１６をベースプレート１２に固定する第２固定手段１７と、一対の取付プレート６６とから形成されている。支持プレート１４や支持スライダー１６、第１および第２固定手段１５，１７は、図１の電子機器ユニット固定スタンド１０Ａのそれらと同一である。
【０１０４】
ベースプレート１２は、その面積が図１の電子機器ユニット固定スタンド１０Ａのそれよりも大きく、平面形状が前後方向へ長い四角形の板状に成形されている。ベースプレート１２は、横方向へ延びる前後端部１８，１９と、前後方向へ延びる両側部２０とを有する。ベースプレート１２の前後端部１８，１９および両側部２０には、上下方向へ延びる脚部２１が連接されている。ベースプレート１２の後端部１９には、電子機器ユニット１１から延びる電源ケーブル５６（電線）を係止するフック６５が形成されている。ベースプレート１２の両側部２０につながる脚部２１には、螺子部材（ビス）を挿入または螺着する固定孔が穿孔されている。
【０１０５】
ベースプレート１２には、横方向へ直状に延びる第１案内開口２２と、横方向へ直状に延びる第２案内開口２３と、前後方向へ直状に延びる複数の第３案内開口２４と、横方向へ直状に延びる複数の第１通気開口２５と、前後方向へ直状に延びる複数の第２通気開口２６とが穿孔されている。ベースプレート１２の第２案内開口２３を囲繞する端縁２７（第１案内開口２２の側に延びる端縁２７）には、第２案内開口２３に位置して上下方向へ延びる垂直部２８が連接されている。
【０１０６】
第１〜第３案内開口２２〜２４は、図１の電子機器ユニット固定スタンド１０Ａのそれらと同一であるが、その長さ寸法が電子機器ユニット固定スタンド１０Ａのそれよりも長い。第１および第２通気開口２５，２６は、図１の電子機器ユニット固定スタンド１０Ａのそれらと同一であるが、その長さ寸法が電子機器ユニット固定スタンド１０Ａのそれよりも長く、その数が電子機器ユニット固定スタンド１０Ａのそれよりも多い。
【０１０７】
それら取付プレート６６は、アルミやステンレス、ジュラルミン等の金属から作られ、所定面積の板状に成形されている。それら取付プレート６６は、電子機器ユニット固定スタンド１０Ｄをインターネットデータセンターに据え付けられた電子機器収容専用ラック６４に設置するために使用される。それら取付プレート６６は、上端縁６７および下端縁６８と前端縁６９とを有し、ベースプレート１２の両側部２０に位置して上下方向へ延びている。取付プレート６６の上端縁６７は、前後方向後方に向かうにつれて下り勾配に傾斜している。なお、取付プレート６６の平面形状が前後方向へ長い長方形であってもよい。
【０１０８】
取付プレート６６の下端縁６８近傍には、螺子部材（ビス）を挿入または螺着する固定孔が穿孔されている。取付プレート６６の前端縁６９には、横方向へ延出する取付フランジ７０が一体に形成されている。取付フランジ７０には、固定ボルト７２を挿通または螺着する複数のボルト孔７１が穿孔されている。ベースプレート１２の脚部２１に穿孔された固定孔と取付プレート６６の下端縁６８近傍に穿孔された固定孔とに螺子部材（ビス）が挿入または螺着され、螺子部材にナットが螺着されることで、取付プレート６６がベースプレート１２の脚部２１に強固に連結されている。
【０１０９】
電子機器ユニット固定スタンド１０Ｄは、それをインターネットデータセンターのサーバ室に据え付けられた電子機器収容専用ラック６４の棚板７３に載置した後、電子機器収容専用ラック６４の縦支柱７４の前面に取付プレート６６の取付フランジ７０を配置し、電子機器収容専用ラック６４の縦支柱７４に穿孔されたボルト孔と取付フランジ７０に穿孔されたボルト孔７１とを一致させ、それらボルト孔７１に固定ボルト７２を挿入しつつ、その固定ボルト７２にナットを螺着することで、複数の電子機器ユニット固定スタンド１０Ｄを電子機器収容専用ラック６４の棚板７３に設置・固定する。なお、各電子機器ユニット１１から延びる電源ケーブル５６（電線）をベースプレート１２の後端部１９のフック６５に係止する。
【０１１０】
電子機器ユニット固定スタンド１０Ｄでは、図９の電子機器ユニット固定スタンド１０Ｂと同様に、支持プレート１４が複数の第１支持プレート１４ａと支持部３３の上下方向の長さ寸法が第１支持プレート１４ａの支持部３３の上下方向のそれよりも長い複数の第２支持プレート１４ｂとから形成されていてもよい。また、支持スライダー１６が１つの第３案内開口２４に位置して垂直支持部４９の横方向の長さ寸法が短い第１支持スライダー１６ａと、１つの第３案内開口２４に位置して垂直支持部４９の横方向の長さ寸法が第１支持スライダー１６ａの垂直支持部４９の横方向のそれよりも長い第２支持スライダー１６ｂと、２つ（２つ以上）の第３案内開口２４に跨って垂直支持部４９の横方向の長さ寸法が第１支持スライダー１４ａの垂直支持部４８の横方向のそれよりも長い第２支持スライダー１６ｂとから形成されていてもよい。
【０１１１】
電子機器ユニット固定スタンド１０Ｄは、図１１の電子機器ユニット固定スタンド１０Ｃと同様に、第１案内開口２２であって第１固定金具４３の下方に位置して横方向へ延びる第１引張コイルバネ５７（第１伸縮弾性部材）と、第２案内開口２３であって支持プレート１４の後端部３２の垂直摺動部分３８の側方に位置して横方向へ延びる第２引張コイルバネ５８（第２伸縮弾性部材）と、第２案内開口２３近傍に延びる第３案内開口２４に位置して前後方向へ延びる第３引張コイルバネ５９（第３伸縮弾性部材）とを備えていてもよい。電子機器ユニット固定スタンド１０Ｄにサーバやルーター、RAIDストレイジ、ファイアウォール専用機等の電子機器ユニット１１を固定する手順は、電子機器ユニット固定スタンド１０Ａ〜１０Ｃのそれと同一である。
【０１１２】
インターネットデータセンターのでは、機械室（空調室）に設置された空調機から冷気が給気され、その冷気がサーバ室（冷却室）の床下を通ってサーバ室のコールドアイルに流入し、サーバ室に設置された電子機器収容専用ラック６４を通流するとともに、電子機器収容専用ラック６４に設置・固定された電子機器ユニット固定スタンド１０Ｄの第１および第２通気開口２５，２６や第１〜第３案内開口２２〜２４を通流しつつ、電子機器ユニット固定スタンド１０Ｄに固定された各電子機器ユニット１１を冷却する。各電子機器ユニット１１の熱を吸収して冷気から温風に変わった熱気は、サーバ室のホットアイルに流入した後、ホットアイルから天井空間に流入し、天井空間から機械室に流入し、空調機によって冷気に変換され、その冷気が再びサーバ室に給気される。
【０１１３】
電子機器ユニット固定スタンド１０Ｄは、電子機器ユニット固定スタンド１０Ａや電子機器ユニット固定スタンド１０Ｂ、電子機器ユニット固定スタンド１０Ｃが有する効果に加え、以下の効果を有する。電子機器ユニット固定スタンド１０Ｄは、取付プレート６６を利用して電子機器ユニット固定スタンド１０Ｄをインターネットデータセンターのサーバ室に据え付けられた電子機器収容専用ラック６４の棚板７３に取り付けることで、電子機器ユニット固定スタンド１０Ｄをインターネットデータセンターのサーバ室において利用することができる。
【０１１４】
電子機器ユニット固定スタンド１０Ｄは、上下方向へ起立した複数の電子機器ユニット１１が横方向へ並んだ状態でベースプレート１２の上面１３に設置・固定されるから、電子機器ユニット１１が平積みされることはなく、サーバ室に給気された冷気が第１および第２通気開口２５，２６や第１〜第３案内開口２２〜２４を通流しつつ、電子機器ユニット固定スタンド１０Ｄに固定された各電子機器ユニット１１を冷却するから、自己発熱する各電子機器ユニット１１の熱を効率よく逃がすことができ、インターネットデータセンターの空調機から給気された冷気によってそれら電子機器ユニット１１を十分に冷却することができる。
【符号の説明】
【０１１５】
１０Ａ  電子機器ユニット固定スタンド
１０Ｂ  電子機器ユニット固定スタンド
１０Ｃ  電子機器ユニット固定スタンド
１０Ｄ  電子機器ユニット固定スタンド
１１    電子機器ユニット
１２    ベースプレート
１３    上面
１４    支持プレート
１４ａ  第１支持プレート
１４ｂ  第２支持プレート
１５    第１固定手段
１６    支持スライダー
１６ａ  第１支持スライダー
１６ｂ  第２支持スライダー
１７    第２固定手段
１８    前端部
１９    後端部
２０    両側部
２１    脚部
２２    第１案内開口
２３    第２案内開口
２４    第３案内開口
２５    第１通気開口
２６    第２通気開口
２７    端縁
２８    垂直部
２９    挿脱孔
３０    前端部
３１    中間部
３２    後端部
３３    支持部
３４    水平摺動部分
３５    垂直支持部分
３６    挿入孔
３７    挿入孔
３８    垂直摺動部分
３９    水平摺動部分
４０    クッションゴム
４１    第１支持アングル（第１支持部材）
４２    第２支持アングル（第２支持部材）
４３    第１固定金具
４４    第１螺子部材
４５    下面
４６    凸条
４７    螺着孔
４８    水平摺動部
４９    垂直支持部
５０    挿入孔
５１    挿入孔
５２    第２固定金具
５３    螺着孔
５４    第２螺子部材
５５    凸条
５６    電線ケーブル
５７    第１引張コイルバネ（第１伸縮弾性部材）
５８    第２引張コイルバネ（第２伸縮弾性部材）
５９    第３引張コイルバネ（第３伸縮弾性部材）
６０    フック
６１    フック
６２    フック
６３    フック
６４    電子機器収容専用ラック
６５    フック
６６    取付プレート
６７    上端縁
６８    下端縁
６９    前端縁
７０    取付フランジ
７１    ボルト孔
７２    固定ボルト
７３    棚板
７４    縦支柱
【図１】
2018093036.tif 000003
【図２】
2018093036.tif 000004
【図３】
2018093036.tif 000005
【図４】
2018093036.tif 000006
【図５】
2018093036.tif 000007
【図６】
2018093036.tif 000008
【図７】
2018093036.tif 000009
【図８】
2018093036.tif 000010
【図９】
2018093036.tif 000011
【図１０】
2018093036.tif 000012
【図１１】
2018093036.tif 000013
【図１２】
2018093036.tif 000014
【図１３】
2018093036.tif 000015
【図１４】
2018093036.tif 000016
【図１５】
2018093036.tif 000017
【図１６】
2018093036.tif 000018
【図１７】
2018093036.tif 000019
【図１８】
2018093036.tif 000020
【図１９】
2018093036.tif 000021
【図２０】
2018093036.tif 000022